(57)【要約】      （修正有）【課題】キャップが未開封かどうかを目視で見分けることができるとともに、分別作業の容易なプラスチックボトルを提供する。【解決手段】口部３が形成されたボトル本体２と、口部の外周面３Ａに形成された螺旋突起５と係合する螺旋溝６が内周面４Ａに形成されていて、口部に装着されることで口部を閉栓するキャップ４とを備えたプラスチックボトル１であって、口部の外周面に形成された凹部８と、キャップに形成されていて、凹部に係合する位置と凹部から離脱してキャップの外周面４Ｂよりも外方に突出する位置を占める爪部７を備えている。【選択図】図１
0003161834.tif 000002
【実用新案登録請求の範囲】
【請求項１】
口部が形成されたボトル本体と、前記口部の外周面に形成された螺旋突起と係合する螺旋溝が内周面に形成されていて、前記口部に装着されることで前記口部を閉栓するキャップとを備えたプラスチックボトルであって、
前記口部の外周面には凹部が形成されていて、
前記キャップには、前記凹部に係合する位置と前記凹部から離脱して前記キャップの外周面よりも外方に突出する位置を占める爪部が形成されていることを特徴とするプラスチックボトル。
【請求項２】
前記爪部は、前記キャップを開栓方向に回転操作したときに、その回転操作と連動して前記凹部から離脱することを特徴とする請求項１記載のプラスチックボトル。
【考案の詳細な説明】
【技術分野】
【０００１】
本考案は、プラスチックボトルの封止構造に関する。
【背景技術】
【０００２】
ボトル本体と、ボトル本体に装着されることでボトル本体に形成された口部を塞ぐキャップ部材とを備えた所謂プラスチックボトルと称する容器が知られている。このプラスチックボトルは、合成樹脂製のボトル本体内に飲料、調味料・化粧品・医薬品等の内容物を充填される。そして、口部の周囲に形成された螺旋溝に対して合成樹脂製のキャップを閉栓方向に回転させて締付けることで口部を塞ぎ、閉栓方向と反対の開栓方向へと回転させることでキャップを口部から外して開栓している。  
キャップは、未開封かどうかを見分けるために、キャップを開栓方向に回転させると、その下部がリング状に千切れてボトル本体側に残るように形成されている。このような構成のプラスチックボトルとしては特許文献１が挙げられる。
【先行技術文献】
【特許文献】
【０００３】
【特許文献１】特開２００２−２７４５５２号公報
【考案の概要】
【考案が解決しようとする課題】
【０００４】
特許文献１の構成では、キャップとリング部とを一体的に形成し、両者が一体の場合には封止状態とし、キャップとリング部とが分離することで、未開封かどうかを目視で見分けることができる。しかし、プラスチックボトルを分別廃棄する際、ボトル本体とキャップを分別することはできるが、リング部をボトル本体から外すには、工具などを用いて切断したり、変形させて外さなければならず、面倒であった。  
本考案は、キャップが未開封かどうかを目視で見分けることができるとともに、分別作業の容易なプラスチックボトルを提供することを、課題とする。
【課題を解決するための手段】
【０００５】
本考案は、口部が形成されたボトル本体と、口部の外周面に形成された螺旋突起と係合する螺旋溝が内周面に形成されていて、口部に装着されることで口部を閉栓するキャップとを備えたプラスチックボトルであって、口部の外周面には凹部が形成されていて、キャップには、凹部に係合する位置と凹部から離脱してキャップの外周面よりも外方に突出する位置を占める爪部が形成されていることを特徴としている。  
本考案に係るプラスチックボトルにおいて、爪部は、キャップを開栓方向に回転操作したときに、その回転操作と連動して前記凹部から離脱することを特徴としている。
【考案の効果】
【０００６】
本考案によれば、ボトル本体の口部の外周面には凹部を形成し、口部を閉栓するキャップには、凹部に係合する位置と凹部から離脱してキャップの外周面よりも外方に突出する位置を占める爪部を形成したので、爪部が凹部と係合状態のときには口部がキャップで封止され、爪部が凹部と離脱状態のときには爪部がキャップ外周面よりも外方に突出する。このため、プラスチックボトルが未開封かどうかを爪部の状態を目視することで見分けることができるとともに、従来のように開栓時にボトル本体側にリング状部材が残らないため分別作業も容易に行える。
【図面の簡単な説明】
【０００７】
【図１】本考案に係るプラスチックボトルの口部とキャップの構成を示す斜視図である。
【図２】プラスチックボトルの口部に形成した凹部の構成を示す側面図である。
【図３】凹部とこれに係脱する突起部の係合状態を示す平面視図である。
【図４】（ａ）は爪部の正面図、（ｂ）は爪部と凹部との係合状態を示す図、（ｃ）は爪部が凹部から離脱して離脱位置を占めた状態を示す図である。
【図５】（ａ）は凹部と爪部の係合状態を上面から見た部分拡大図、（ｂ）は凹部と爪部の係合状態が解除された開封状態を上面から見た部分拡大図である。
【考案を実施するための形態】
【０００８】
以下、本考案の実施形態について図面を用いて説明する。  
図１に符号１で示すプラスチックボトルは、上部に口部３が形成されたボトル本体２と、口部３の外周面３Ａに形成された螺旋突起５と係合する螺旋溝６が内周面４Ａに形成されていて、口部３に装着されることで口部３を閉栓するキャップ４とを備えている。ボトル本体２の材質には、例えばポリエチレンテレフタレート、ポリプロピレン、ポリエチレンに代表される合成樹脂（プラスチック）が用いられている。キャップ４の材質には、ポリエチレン、ポリプロピレン、ポリオエチレンに代表される合成樹脂（プラスチック）が用いられている。
【０００９】
キャップ４には、口部３の外周面３Ａの下方に形成された凹部８に係合・離脱する爪部７と、爪部７を収納するための窓部９が形成されている。本形態において、爪部７は、図４に示すように断面Ｌ字形状を成し、図４（ａ）に示すように、その上端７Ａを窓部9の上方に溶着固定することでヒンジ部１０を構成している。
【００１０】
爪部7は、このヒンジ部１０を中心にして、図４（ｂ）に示す凹部８にその先端７Ｂが進入して係合する収納位置と、図４（ｃ）に示すように先端７Ｂが凹部８から離脱してキャップ４の外周面４Ｂよりも外方に突出する離脱位置を占めるように、キャップ部材４に装着されている。
【００１１】
窓部９は、爪部7が収納位置を占めたときに爪部7を外周面４Ｂとほぼ面一にして収納するものある。凹部８は、図２，図３に示すように、ボトル本体２の内側に向かってくぼんでいて、キャップ４を符号Ｒで示す開栓方向に回転操作したときに、その回転操作と連動して爪部7の先端７Ｂを凹部８位からスムーズに離脱させるように、図５（ａ），図５（ｂ）に示すように、平面視において回転方向に位置する側部８Ａ，８Ｂが円弧状に形成されている。この形状に対応するように、爪部7の先端７Ｂも円弧状に形成されている。
【００１２】
このような構成のプラスチックボトル1によると、ボトル本体２の口部３の外周面３Ａには凹部８を形成し、口部３を閉栓するキャップ４には図４（ｂ），図５（ａ）に示す凹部８に係合する収納位置と、図４（ｃ），図５（ｂ）に示すように凹部８から離脱してキャップ４の外周面４Ｂよりも外方に突出する離脱位置を占める爪部７を形成したので、爪部７が凹部８と係合状態のときには口部３がキャップ４で封止される。また、爪部７が凹部８と離脱状態のときには、爪部７が図４（ｃ）,図５（ｂ）に示すようにキャップ外周面４Ｂよりも外方に突出するため、プラスチックボトル１が未開封かどうかを爪部７の状態を目視することで見分けることができる、また、従来のように開栓時にボトル本体２側にリング状部材が残らないため分別作業も容易に行えるとともに、リング状部材が不要となるので、リング状部材を取り外す分別作業も不要となり、分別作業が容易になる。さらに、リング状部材が不要となるのでキャップ２に使用する材料を少なくでき、省資源化に寄与することになる。
【００１３】
キャップ２に形成する窓部９の形状は、爪部７が収納位置を占めたときに、その内側に収納できるように爪部７の外観と類似の形状に形成されていればよく、例えば正面形状が台形、長方形、三角形、釣り鐘形などが挙げられるが、ヒンジ部１０の幅を少なくして、手で持ったときの引っかかりを低減するには下方側よりも上方の幅が狭い形状が好ましい。
【００１４】
爪部先端７Ｂの形状については、本形態で形成したような半円形状の他に、三角形状、槍等が挙げられるが、キャップ開栓操作時の抵抗や摩耗の点を考慮すると、半円形状が好ましい。
【００１５】
本形態では、爪部７と凹部８が１組の例で説明したが、これら爪部7と凹部８の組み合わせは１組に限定されるものではなく、複数組を設けてもよく、爪部７と凹部８の数で封止力を調整することができる。また、爪部の先端７Ｂの長さと凹部８の深さを調整しても封止力を調整することができる。
【符号の説明】
【００１６】
１              プラスチックボトル
２              ボトル本体
３              口部
３Ａ            口部の外周面
４              キャップ
４Ａ            キャップの内周面
４Ｂ            キャップの外周面
５              螺旋突起
６              螺旋溝
７              爪部
８              凹部
Ｒ              開栓方向
【図１】
0003161834.tif 000003
【図２】
0003161834.tif 000004
【図３】
0003161834.tif 000005
【図４】
0003161834.tif 000006
【図５】
0003161834.tif 000007